(57)【要約】【課題】腰付け用リブと排紙トレイとが一体化し、排出用紙のスタック性を確保した排出トレイを提供する。【解決手段】  延長トレイ５０は、一端部を中心として、他端部が後側に位置する収納位置に配置されている。また、腰付け用リブ６０は一端部を中心として、他端部が前方向に斜めに突出した突出位置に配置されている。このとき、腰付け用リブ６０は、止部が延長トレイ５０に当接し、延長トレイ５０によって支えられた状態になる。これにより、腰付け用リブ６０によって用紙に腰が付けられる場合には、延長トレイ５０が必ず収納位置に配置されているので、用紙の先端部が延長トレイ５０によって支えられることがない。従って、排出トレイ２９に排出された用紙は、用紙の中央部付近が腰付け用リブ６０によって高くなり、用紙の中央部付近から先端にかけても腰が付き、『く』の字になる形状で用紙積載面２９ａに積載される。【選択図】図６
2008297042.tif 000002
【特許請求の範囲】
【請求項１】
シートを排出するシート排出口と、
前記シート排出口に対応して設けられ、前記シート排出口から排出された前記シートを積載するシート積載面を有するシート積載トレイと、
前記シート積載トレイのシート排出方向下流側端部付近において、
シート排出方向下流側へ向かって延長され、前記シート積載トレイの前記シート積載面におけるシート排出方向の長さを長くする延長位置と、前記シート積載トレイに収められる収納位置とに移動可能に備えられた延長トレイと、
前記シート積載トレイのシート排出方向中央部付近において、
前記シート積載面に対して突出し、前記シート積載トレイに排出された前記シートに対して腰を付ける突出位置と、前記シート積載面に退避した退避位置とに移動可能に設けられた腰付け用リブとを備え、
前記腰付け用リブは、前記延長トレイが前記収納位置に移動配置されているときのみ前記突出位置に配置可能に構成されていることを特徴とするシート排出装置。
【請求項２】
前記延長トレイは、
その一端部が前記シート積載トレイに回動可能に支持され、
前記一端部を中心とする回動によって他端部が、前記収納位置と前記延長位置とに移動可能に設けられ、
前記腰付け用リブは、
その一端部が前記シート積載トレイに回動可能に支持され、
前記一端部を中心とする回動によって他端部が、前記突出位置と前記退避位置とに移動可能に設けられ、
前記腰付け用リブは、前記収納位置に配置された前記延長トレイの一部に支えられて突出位置に配置されることを特徴とする請求項１に記載のシート排出装置。
【請求項３】
前記腰付け用リブは、前記延長トレイが前記延長位置に移動されたときに、前記延長トレイに連動して前記退避位置に移動されることを特徴とする請求項１又は２に記載のシート排出装置。
【請求項４】
請求項１〜３のいずれかに記載のシート排出装置と、
前記シートに画像を形成する画像形成部とを備え、
前記画像形成部によって画像が形成された前記シートを前記シート排出装置によって排出することを特徴とする画像形成装置。
【発明の詳細な説明】
【技術分野】
【０００１】
本発明は、シートを排出するシート排出装置及びシートに画像を形成する画像形成装置に関する。
【背景技術】
【０００２】
シート排出装置は、シート積載トレイに本体から排出されるシートを、排出された順番に適正にスタックすることができる構成であることが必要である。ところが、本体が例えば、電子写真方式によってシートに画像を形成する画像形成装置である場合には、シートが熱定着処理を受けて排出されるため、その定着時の熱の影響によってカールが付いた状態で排出されることになる。このカールが付いたシートを順序正しくシート積載トレイにおいて複数枚スタックさせることは、実際上において重要な問題である。
【０００３】
またカールの形状は、シートの種類、サイズ、あるいは使用される環境、仕向地ごとに異なる定着条件などによって異なるため、排出されるときのシートのカール状態も異なり、このことも問題を解決し難くしている。通常、カールが付いたシートにカールと逆に腰を付けるようにして、スタック性の向上を図っている。
【０００４】
図９及び図１０は、従来のシート積載トレイの構造を示す斜視図であって、それぞれ排紙方向として示す矢印方向が図示しない本体から用紙（シート）が排紙される方向であり、８０は主排紙トレイ、８１は主排紙トレイ８０の裏面側にスライド可能に設けられた補助排紙トレイである。
【０００５】
図９に示す従来例において、主排紙トレイ８０及び補助排紙トレイ８１は、腰付け用リブ８３が設置される取付用溝１０,１１がそれぞれ設けられており、排出される用紙に応
じて適宜腰付け用リブ８３を付け替えることが可能な構成になっている。
【０００６】
また、図１０に示す従来例において、主排紙トレイ８０は、１本の取付用溝８５が排紙方向に延出するように形成され、三角形状をなす可動腰付け用リブ２２の軸体２３を回動可能に支持している。可動腰付け用リブ２２は、補助排紙トレイ８１の引き出し操作及び押入れ操作に連動して出没するように設けられている。
【特許文献１】特開２０００−３１３５６１号公報
【発明の開示】
【発明が解決しようとする課題】
【０００７】
ところが、図９に示す排紙トレイでは、腰付け用リブ８３が主排紙トレイ８０及び補助排紙トレイ８１に対して取り外し可能になっているため、排出用紙の腰付け用リブ８３が紛失してしまうという問題点があった。
【０００８】
また、図１０に示す排紙トレイは、補助排紙トレイ８１を主排紙トレイ８０に押し込んで収納された状態では、可動腰付け用リブ２２は主排紙トレイ８０の用紙積載面からの突出量が小さい状態となる。また、補助排紙トレイ８１を主排紙トレイ８０から引き出すと、可動腰付け用リブ２２は、主排紙トレイ８０の用紙積載面からの突出量が大きくなる。そのため、補助排紙トレイ８１を主排紙トレイ８０から引き出した状態では、排出された用紙の中央部は可動腰付け用リブ２２によって高くなる。しかし、用紙の先端部は、延長された補助排紙トレイ８１に当接してしまう。このため、用紙中央部付近から先端にかけて水平になってしまい、腰が付きにくくなり用紙のスタック性が低下するという問題がある。
【０００９】
そこで本発明は、このような課題を解決するためになされたものであって、腰付け用リブと排紙トレイとが一体化し、さらに、排出用紙のスタック性が高い排紙トレイを提供することを目的とする。
【課題を解決するための手段】
【００１０】
上記課題を解決するために、請求項１に記載の発明は、シートを排出するシート排出口と、シート排出口に対応して設けられ、シート排出口から排出されたシートを積載するシート積載面を有するシート積載トレイと、シート積載トレイのシート排出方向下流側端部付近において、シート排出方向下流側へ向かって延長され、シート積載トレイのシート積載面におけるシート排出方向の長さを長くする延長位置と、シート積載トレイに収められる収納位置とに移動可能に備えられた延長トレイと、シート積載トレイのシート排出方向中央部付近において、シート積載面に対して突出し、シート積載トレイに排出されたシートに対して腰を付ける突出位置と、シート積載面に退避した退避位置とに移動可能に設けられた腰付け用リブとを備え、腰付け用リブは、延長トレイが収納位置に移動配置されているときのみ突出位置に配置可能に構成されていることを特徴とする。
【００１１】
請求項２に記載の発明は、  延長トレイは、その一端部がシート積載トレイに回動可能に支持され、一端部を中心とする回動によって他端部が、収納位置と延長位置とに移動可能に設けられ、腰付け用リブは、その一端部がシート積載トレイに回動可能に支持され、一端部を中心とする回動によって他端部が、突出位置と退避位置とに移動可能に設けられ、腰付け用リブは、収納位置に配置された延長トレイの一部に支えられて突出位置に配置されることを特徴とする。
【００１２】
請求項３に記載の発明は、腰付け用リブは、延長トレイが延長位置に移動されたときに、延長トレイに連動して退避位置に移動されることを特徴とする請求項１又は２に記載のシート排出装置。
【００１３】
請求項４に記載の発明は、請求項１〜３のいずれかに記載のシート排出装置と、シートに画像を形成する画像形成部とを備え、画像形成部によって画像が形成されたシートをシート排出装置によって排出することを特徴とする画像形成装置。
【発明の効果】
【００１４】
請求項１に記載の発明によれば、延長トレイは、シート積載トレイのシート排出方向下流側端部付近において、シートの排出方向下流へ延長され、シート積載トレイの積載面におけるシートの排出方向の長さを長くする延長位置と、シート積載トレイに収められる収納位置とに移動可能に備えられ、腰付け用リブは、シート積載トレイのシート排出方向中央部付近において、シート積載面に対して突出し、排出されたシートに対して腰を付ける突出位置と、積載面に退避した退避位置とに移動可能に備えられ、腰付け用リブは、延長トレイが収納位置に移動配置されているときのみ突出位置に配置可能に構成されていることを特徴とする。これにより、腰付け用リブによってシートに腰が付けられる場合には、延長トレイが必ず収納位置に配置されているので、シートの先端部が延長トレイによって支えられることがない。従って、シート積載トレイに排出されたシートは、シートの中央部付近は腰付け用リブによって高くなり、シートの中央部付近から先端にかけても腰が付く。よって、筒カールの状態でシートが排出されるような状態であっても、シートのスタック性を確保することができる。
【００１５】
請求項２に記載の発明によれば、延長トレイは、その一端部がシート積載トレイに回動可能に支持され、一端部を中心とする回動によって他端部が、収納位置と延長位置とに移動可能に設けられ、腰付け用リブは、その一端部がシート積載トレイに回動可能に支持さ
れ、一端部を中心とする回動によって他端部が、突出位置と退避位置とに移動可能に設けられ、腰付け用リブは、収納位置に配置された延長トレイの一部に支えられて突出位置に配置される。延長トレイ及び腰付け用リブがシート積載トレイに回動可能に支持されることで、簡易な構成で延長トレイを延長位置及び収納位置、腰付け用リブを突出位置及び退避位置に配置することができる。また、腰付け用リブを突出位置に配置するとき、腰付け用リブは延長トレイの一部に支えられている。このように延長トレイを利用することで、容易かつ安価に腰付け用リブを突出位置に配置することができる。
【００１６】
請求項３に記載の発明によれば、腰付け用リブは、延長トレイが延長位置に移動したときに、延長トレイに連動して退避位置に移動する。これにより、腰付け用リブは、簡易な作業により退避位置に配置される。
【００１７】
請求項４に記載の発明によれば、請求項１〜３のいずれかに記載のシート排出装置と、シートに画像を形成する画像形成部とを備え、シート排出装置は、画像形成部によって画像形成されたシートを排出することを特徴とする。請求項１〜３のいずれかに記載のシート排出装置を備えたことにより、それぞれに対応した効果を有する画像形成装置が実現される。
【発明を実施するための最良の形態】
【００１８】
図１は、本発明の画像形成装置としてのレーザプリンタ１の概略構成を示す側断面図である。図１において、図面右側をレーザプリンタ１の前側、図面左側を後側とする。
【００１９】
レーザプリンタ１は、略箱形の本体ケーシング２を備えている。この本体ケーシング２の底部には、画像を形成するためのシートとしての用紙３が積載される給紙トレイ４が前方へ引き出し可能に装着されている。給紙トレイ４の前端上方には、給紙ローラ５が設けられており、この給紙ローラ５の回転に伴って給紙トレイ４内の最上位に積載された用紙３が、給紙ローラ５の後側上方に設けられたレジストローラ６に送り出される。
【００２０】
本体ケーシング２内の上部には、露光手段としてのスキャナ部１１が設けられている。このスキャナ部１１は、レーザ発光部（図示せず）から発射されたレーザ光を、ポリゴンミラー１２、反射鏡１３及びレンズ（図示せず）を介して感光体ドラム１９の表面上に照射する。
【００２１】
スキャナ部１１の下方には、プロセスカートリッジ１５が本体ケーシング２に対して着脱可能に装着されている。このプロセスカートリッジ１５は、現像剤としてのトナーが収容されるトナー収容室（図示せず）、供給ローラ１７、現像手段としての現像ローラ１８、像担持体としての感光体ドラム１９、スコロトロン型帯電器２０、及び転写手段としての転写ローラ２１等を備えている。
【００２２】
トナー収容室から放出されたトナーは、供給ローラ１７の回転により現像ローラ１８に供給される。感光体ドラム１９の表面は、その回転に伴って、まず、スコロトロン型帯電器２０により一様に正帯電された後、スキャナ部１１からのレーザ光Ｌにより露光され、用紙３に形成すべき画像に対応した静電潜像が形成される。次いで、現像ローラ１８の回転により、現像ローラ１８上のトナーが感光体ドラム１９の表面に供給され、静電潜像が可視像化される。その後、感光体ドラム１９の表面上に担持されたトナー像は、用紙３が感光体ドラム１９と転写ローラ２１との間を通過する間に、転写ローラ２１に印加される転写バイアス電圧によって、用紙３に転写される。
【００２３】
プロセスカートリッジ１５の後方には、加熱ローラ２４及び加圧ローラ２５等を備えた定着器２６が設けられている。この定着器２６では、用紙３上に転写されたトナー像を紙
面に熱定着させる。そして、熱定着された用紙３は、本体ケーシング２の上部に設けられた排出ローラ対２７へ搬送される。排出ローラ対２７は、排出口２８（請求項に記載のシート排出口に相当）を構成しており、用紙３は排出ローラ対２７の回転に伴って、本体ケーシング２上面に設けられた排出トレイ２９（請求項に記載のシート積載トレイに相当）の用紙積載面２９ａ上に排出される。なお、以下レーザプリンタ１の後側を用紙３の排出方向上流側、前側を排出方向下流側とする。
【００２４】
図２は、レーザプリンタ１の全体斜視図であり、図面左方向がレーザプリンタ１の後側、図面右方向が前側である。また、図３は、図２に示す延長トレイ５０の底面図であり、図４は、図２に示す腰付け用リブ６０の底面図である。また、図５は、図２に示す排出トレイ２９の延長トレイ収容凹部７１の拡大図である。なお、図５においては、延長トレイ５０及び腰付け用リブ６０は取り除いている。
【００２５】
図２に示すように、排出トレイ２９における前側の外縁付近には、延長トレイ５０が備えられている。延長トレイ５０は、排出された用紙３を受けることで、用紙３が排出トレイ２９からはみ出して落下することを防止している。
【００２６】
延長トレイ５０は略板状をなしており、その一方の面側にやや湾曲して形成されている。延長トレイ５０は、後述する延長位置にあるときに、湾曲した凹面を上方に向けた姿勢で排出トレイ２９に取り付けられるようになっている。また、図３に示すように、延長トレイ５０の一端部には、その幅方向（図３における左右方向）の両端部寄りの位置に、一対の切欠部５３が形成されており、この切欠部５３により、延長トレイ５０の側縁の一端部には、延長トレイ５０の幅方向に撓み変形可能な一対の脚部５１が形成されている。この脚部５１の外側縁の一端部には、外方に突出する一対の突部５２が形成されている。
【００２７】
脚部５１は自身が持つ弾力に抗って内方に曲げられ、脚部５１に形成された突部５２が、図５に示す排出トレイ２９に設けられた一対の凹部７０に嵌合することで、延長トレイ５０は排出トレイ２９に取り付けられるようになっている。
【００２８】
また、図２に示すように、排出トレイ２９における前後方向の中央部付近には、腰付け用リブ６０が備えられている。腰付け用リブ６０は、排出された用紙３に腰を付け、用紙３が排出トレイ２９上で乱雑になることを防止している。
【００２９】
図４に示すように、腰付け用リブ６０の一端部には、その幅方向（図４における左右方向）の両端部寄りの位置に、一対の長切欠部６３が形成されており、この長切欠部６３により、腰付け用リブ６０の側縁の一端部には、腰付け用リブ６０の幅方向に撓み変形可能な一対の長脚部６１が形成されている。この長脚部６１の外側縁の下端部には、外方に突出する一対のボス６２が形成されている。長脚部６１は自身が持つ弾力に抗って内方に曲げられ、長脚部６１に形成されたボス６２が、図５に示す排出トレイ２９に設けられた一対の穴７２に嵌合することで、腰付け用リブ６０は排出トレイ２９に取り付けられるようになっている。
【００３０】
また、図２及び図５に示すように、排出トレイ２９の後部には、下方に陥没して、延長トレイ５０を収容可能な延長トレイ収容凹部７１が設けられている。延長トレイ収容凹部７１の側壁には、排出トレイ２９の前端部に、延長トレイ５０の突部５２と嵌合するための一対の凹部７０が凹設されている。突部５２と凹部７０とが嵌合することで、延長トレイ５０は排出トレイ２９に回動可能に組み付けられるようになっている。また、延長トレイ収容凹部７１の後部には、延長トレイ収容凹部７１内に収容された延長トレイ５０の側縁に指を引っ掛けるための指掛け凹部７５が設けられている。この指掛け凹部７５に指を入れて延長トレイ５０の側縁に引っ掛けることで、延長トレイ５０を引き起こすことがで
きるようになっている。
【００３１】
また、排出トレイ２９には、延長トレイ収容凹部７１よりさらに下方に陥没して、腰付け用リブ６０を収納可能な腰付け用リブ収容凹部７３が設けられている。また、図５に示すように、腰付け用リブ収容凹部７３の後端部には、５つの案内突起７４ａ〜７４ｅが突出した状態でレーザプリンタ１の左右方向（図５において上下方向）に５つ備えられている。また、最も外側の２つの案内突起７４ａ,７４ｅは、一対の穴７２を備えている。腰
付け用リブ６０のボス６２は、穴７２と嵌合し、腰付け用リブ６０は排出トレイ２９に回動可能に組み付けられるようになっている。
【００３２】
次に、延長トレイ５０及び腰付け用リブ６０の回動について説明するとともに、用紙３のカールの状態に適した延長トレイ５０及び腰付け用リブ６０の配置について説明する。
【００３３】
図２は、用紙３が順カールで排出される場合に適した延長トレイ５０及び腰付け用リブ６０の配置である。なお、ここでいう順カールとは、用紙３の排出方向において中央部が上に突出するように湾曲した用紙の状態のことをいう。
【００３４】
延長トレイ５０及び腰付け用トレイ６０は、それぞれ突部５２及びボス６２を中心として、レーザプリンタ１の前側と後側とに回動する。
【００３５】
図２において、延長トレイ５０は、突部５２（請求項に記載の一端部に相当）を中心として、延長トレイ５０の開放端部（請求項に記載の他端部に相当）が前側に位置する延長位置に配置されている。また、腰付け用リブ６０はボス６２を中心として、腰付け用リブ６０の開放端部が前側に位置する退避位置に配置されている。このとき、腰付け用リブ６０は、腰付け用リブ収容凹部７３に収納された状態である。
【００３６】
また、腰付け用リブ６０は、一対の長切欠部６３の間に、中央切欠部６４が設けられており、その中央切欠部６４の手前側に下方に向かって突出した止部６６が２つ備えられている（図４参照）。腰付け用リブ６０は、一対の長切欠部６３から案内突起７４ｂ,７４
ｄがそれぞれ突出し、中央切欠部６４から案内突起７４ｃが突出する状態で取り付けられている。なお、腰付け用リブ６０は、止部６６が下側、すなわち腰付け用リブ収容凹部７３の方向を向くように取り付けられている。腰付け用リブ６０は、腰付け用リブ収容凹部７３に備えられた２つの突起部７６に当接し、腰付け用リブ収容凹部７３との間に若干の隙間ができるように収容されている。この突起部７６は、腰付け用リブ収容凹部７３の前端部に備えられた指掛け穴７７から指を引っ掛け、腰付け用リブ６０を起こし易くするために設けられている。
【００３７】
図２において、排出ローラ対２７から順カールで排出された用紙３は、排出トレイ２９の用紙積載面２９ａに送り出される。なお、用紙積載面２９ａは、用紙３の排出方向において中央部が上に突出するようにゆるやかに湾曲した形状になっている。
【００３８】
排出された用紙３が順カールの場合、用紙３は用紙積載面２９ａの曲面に沿う形状で用紙３がスタックされる。また、排出された用紙３が多少乱れたとしても、延長トレイ５０が用紙３をストップさせるストッパーとしての役割を果たす。これにより、用紙３が落下してしまうことを防止することができる。
【００３９】
また、順カールした用紙３は、用紙３の先端部が下方を向いており、用紙３の先端部が用紙積載面２９ａに摺動しながら排紙される。用紙３の先端部が延長トレイ収容凹部７１に到達したとき、用紙３の先端部は案内突起７４ａ〜７４ｅに当接しながら用紙積載面２９ａを摺動していく。この案内突起７４を設けることで、腰付け用リブ収容凹部７３に収
容された腰付け用リブ６０に用紙３の先端部が入り込むことが防止され、用紙３は円滑に案内される。
【００４０】
また、図６は、用紙３が筒カールで排出される場合の延長トレイ５０及び腰付け用リブ６０の配置である。なお、ここでいう筒カールとは、用紙３の排出方向と直交する（用紙の幅方向）方向において、中央部が下に突出するように湾曲した用紙の状態のことをいう。
【００４１】
図６において、延長トレイ５０は、突部５２を中心として、延長トレイ５０の開放端部が後側に位置する収納位置に配置されている。また、腰付け用リブ６０はボス６２を中心として、腰付け用リブ６０の開放端部が用紙積載面２９ａに対して突出した突出位置に配置されている。
【００４２】
次に、図２の延長トレイ５０及び腰付け用リブ６０の配置から、図６の配置に変更する過程を述べる。
【００４３】
まず、図２に示す状態の腰付け用リブ６０を、ボス６２を中心として後側へ回動させる。そして、延長トレイ５０を、突部５２を中心として後側へ回動させ、収納位置である延長トレイ収容凹部７１に収納させる。その後、腰付け用リブ６０を、前側へ回動させる。このとき、腰付け用リブ６０は、止部６６が延長トレイ５０の一部に当接し、延長トレイ５０によって支えられた状態になる。つまり、腰付け用リブ６０は、ボス６２から前側に向かって斜めの姿勢を保つようになっている。このようにして、腰付け用リブ６０は、排出トレイ２９に対して突出した状態になる。このように、腰付け用リブ６０が収納位置に配置された延長トレイ５０を利用して支えられることによって、簡易な構成で腰付け用リブ６０を突出位置に配置することができる。
【００４４】
しかも、図６に示す状態のときに、腰付け用リブ６０がボス６２を中心として後側に回動され、仮に延長トレイ収容凹部７１の後縁に当接した状態のままであったとしても、腰付け用リブ６０は、排出される用紙３の先端部によって押され、突出位置に配置される。
【００４５】
図６において、排出ローラ対２７から筒カールで排出された用紙３は、排出トレイ２９の用紙積載面２９ａに送り出される。
【００４６】
排出された用紙３が筒カールの場合、用紙３は突出位置に配置された腰付け用リブ６０によって腰を付けられ、『く』の字になる形状で用紙積載面２９ａに積載される（図７参照）。このように、腰付け用リブによって用紙３に腰が付けられる場合には、延長トレイ５０が必ず収納位置に配置されているので、用紙３の先端部が延長トレイ５０によって支えられることがない。従って、排出トレイ２９に排出された用紙３は、用紙の中央部付近は腰付け用リブ６０によって高くなり、用紙の中央部付近から先端にかけても腰が付く。よって用紙が筒カールの状態で排出されるような場合であっても、筒カールが確実に取り除かれた状態となり、用紙のスタック性を確保することができる。
【００４７】
また、筒カールの場合、用紙３は用紙排出方向の垂直方向の中央部が用紙積載面２９ａに摺動しながら排紙される。用紙３の先端部が延長トレイ収容凹部７１に到達したとき、用紙３の先端部は案内突起７４に当接しながら用紙積載面２９ａを摺動していく。このとき、この案内突起７４を設けることで、腰付け用リブ収容凹部７３に収容された腰付け用リブ６０に用紙３の先端部が入り込むことが防止され、用紙３は円滑に案内される。
【００４８】
また、用紙３の先端部は、案内突起７４に当接しながら排紙されるが、排紙された用紙の形状によっては案内突起７４（例えば７４ｂ,７４ｃ）の間に入り込んでしまう場合が
ある。この場合であっても、用紙３の先端部は腰付け用リブ６０の平面部６５によって円滑に案内される。
【００４９】
図８は、腰付け用リブ６０を退避位置に配置し、延長トレイ５０を収納位置に配置した図である。排出トレイ５０及び腰付け用リブ６０は、プリンタ１を使用しないとき、又は用紙が筒カールしない場合、さらに用紙３が用紙積載面２９ａに排出され、次の用紙が排出される前に先に排出された用紙３を取り出す場合などには、このような配置にされる。このとき、延長トレイ５０の上部に設けられた湾曲凹部５５（図３参照）から案内突起部７４が突出した状態になっている。このように、湾曲凹部５５から案内突起部７４を突出させることで、用紙３の先端部が湾曲凹部５５に入り込むことが防止され、用紙３は円滑に案内される。
【００５０】
なお、延長トレイ５０及び腰付け用リブ６０を、図６から図８の配置にする時は、延長トレイ５０の開放端部を後側へ回動させる。このとき、延長トレイ５０に支えられていた腰付け用リブ６０は、延長トレイ５０が後側へ回動する動きに連動して、前側へ回動し、腰付け用リブ６０が延長トレイ５０から離れたときに、自重により腰付け用リブ収容凹部７３に退避する。これにより、腰付け用リブは、簡易な作業により退避位置に配置される。
【図面の簡単な説明】
【００５１】
【図１】レーザプリンタの概略断面図である。
【図２】レーザプリンタの全体斜視図である。
【図３】延長トレイの底面図である。
【図４】腰付け用リブの底面図である。
【図５】延長トレイ及び腰付け用リブを除いた延長トレイ収容凹部の斜視図である。
【図６】腰付け用リブが突出位置に配置された様子を示す図である。
【図７】図２に示す状態おいて用紙が排出された状態を示す図である。
【図８】延長トレイ及び腰付け用リブが、収納位置及び退避位置に配置された様子を示す図である。
【図９】従来の排紙トレイを示す図である。
【図１０】従来の排紙トレイを示す図である。
【符号の説明】
【００５２】
1…レーザプリンタ
３…用紙（シート）
２９…排出トレイ
２９ａ…用紙積載面
５０…延長トレイ
５１…脚部
５２…突部
５５…湾曲凹部
６０…腰付け用リブ
６１…長脚部
６２…ボス
６５…平面部
６６…止部
７０…凹部
７１…延長トレイ収容凹部
７２…穴
７３…腰付けリブ収容凹部
７４…案内突起
７６…突起部
【図１】
2008297042.tif 000003
【図２】
2008297042.tif 000004
【図３】
2008297042.tif 000005
【図４】
2008297042.tif 000006
【図５】
2008297042.tif 000007
【図６】
2008297042.tif 000008
【図７】
2008297042.tif 000009
【図８】
2008297042.tif 000010
【図９】
2008297042.tif 000011
【図１０】
2008297042.tif 000012